Podtech/llm-jp-corpus-v4-ja_patent huggingface dataset:
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
各々が共有無線周波数(RF)リソースに関連する物理SIMおよび仮想SIM(VSIM)アプリケーションを有するマルチ加入者識別モジュール(SIM)ワイヤレス通信デバイス上で、データパケット送信をスケジュールするための方法であって、
VSIMアプリケーション用のSIMプロファイルの登録を検出するステップと、
前記VSIMアプリケーションにとってVSIM管理プロシージャが必要とされるかどうかを決定するステップと、
前記VSIMアプリケーションにとって前記VSIM管理プロシージャが必要とされるという決定に応答して、
前記VSIM管理プロシージャに関連するデータパケットにタグ付けするステップと、
前記タグ付けに基づいて、RFリソース上でのデータパケット送信に対する優先度付けポリシーを選択するステップと、
前記選択された優先度付けポリシーを前記RFリソース上の送信待ち行列内に適用するステップとを備える、
方法。
【請求項２】
前記RFリソース上でのデータパケット送信に対する前記優先度付けポリシーを選択するステップが、前記RFリソース上で採用されるデータ構造のタイプに基づいて、前記RFリソース上でのデータパケット送信に対する前記優先度付けポリシーをスケジューラによって選択するステップを備える、
請求項１に記載の方法。
【請求項３】
前記物理SIMに関連するモデムスタックが、アクティブなデータ通信を有するかどうかを決定するステップと、
前記物理SIMに関連する前記モデムスタックが、アクティブなデータ通信を有しないという決定に応答して、前記VSIMアプリケーションに関連するモデムスタックにとって専用のベアラを確立するステップとをさらに備える、
請求項２に記載の方法。
【請求項４】
前記物理SIMに関連する前記モデムスタックが、アクティブなデータ通信を有するという決定に応答して、前記物理SIMに関連する前記モデムスタック上の既存のデータベアラを識別するステップと、
前記VSIMアプリケーションに関連する前記モデムスタックからのデータパケットが前記既存のデータベアラ上で搬送されることを可能にするための、プロキシメカニズムを実施するステップとをさらに備え、
前記スケジューラが、前記RFリソース上でのデータ送信に対する前記選択された優先度付けポリシーとして、第1の優先度付けポリシーを選択する、
請求項３に記載の方法。
【請求項５】
前記選択された優先度付けポリシーを適用するステップが、
前記送信待ち行列が、前記物理SIMに関連する前記モデムスタックからの任意のクリティカルデータパケットを含むかどうかを決定するステップと、
前記送信待ち行列が、前記物理SIMに関連する前記モデムスタックからのクリティカルデータパケットを含むという決定に応答して、
前記クリティカルデータパケットに、第1の送信優先度を割り当てるステップと、
前記必要とされるVSIM管理プロシージャに関連する前記タグ付きデータパケットに、第2の送信優先度を割り当てるステップと、
前記物理SIMに関連する前記モデムスタックからの非クリティカルデータパケットに、最終の送信優先度を割り当てるステップ、および
前記送信待ち行列が、前記物理SIMに関連する前記モデムスタックからのいかなるクリティカルデータパケットも含まないという決定に応答して、
前記必要とされるVSIM管理プロシージャに関連する前記タグ付きデータパケットに、前記第1の送信優先度を割り当てるステップと、
前記物理SIMに関連する前記モデムスタックからの非クリティカルデータパケットに、前記第2の送信優先度を割り当てるステップとを備える、
請求項４に記載の方法。
【請求項６】
前記RFリソース上でのデータ送信に対する前記選択された優先度付けポリシーとして、第2の優先度付けポリシーを前記スケジューラによって選択するステップと、
前記VSIMアプリケーションによってサポートされるネットワーク上での通信を可能にするために、前記専用のベアラを割り当てるステップとをさらに備える、
請求項３に記載の方法。
【請求項７】
前記必要とされるVSIM管理プロシージャに関連する前記タグ付きデータパケットに、第1の送信優先度を割り当てるステップと、
前記VSIMアプリケーションに関連する前記モデムスタック上でのユーザ通信におけるデータパケットに、第2の送信優先度を割り当てるステップとをさらに備える、
請求項６に記載の方法。
【請求項８】
前記必要とされるVSIM管理プロシージャに関連するデータパケットにタグ付けするステップが、
前記必要とされるVSIM管理プロシージャに関連するデータパケットに、追加の識別子を付与するステップを備え、
前記追加の識別子が、高い優先度の前記VSIM管理プロシージャおよび起点または終点としての前記VSIMアプリケーションを記述する情報を提供し、
前記追加の識別子が、前記VSIMアプリケーションに関連するモデムスタック全体にわたって伝達される、
請求項１に記載の方法。
【請求項９】
前記必要とされるVSIM管理プロシージャに関連するデータパケットにタグ付けするステップが、プロトコルデータユニット(PDU)の中の既存の情報フィールド内の識別子を、前記VSIMアプリケーションに関連するモデムスタックの中の少なくとも1つのレイヤに提供するステップを備える、
請求項１に記載の方法。
【請求項１０】
前記必要とされるVSIM管理プロシージャが、前記VSIMアプリケーションに関連するネットワーク上での認証を備える、
請求項１に記載の方法。
【請求項１１】
請求項１〜１０のいずれか一項に記載の方法を実行するように構成された手段を備えた、
ワイヤレス通信デバイス。
【請求項１２】
物理加入者識別モジュール(SIM)および仮想SIM(VSIM)アプリケーションに接続するように構成された無線周波数(RF)リソースを有するワイヤレス通信デバイスのプロセッサに、請求項１〜１０のいずれか一項に記載の方法を実行させるように構成されたプロセッサ実行可能命令を記憶した、
プロセッサ可読記憶媒体。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
高精細光照射野ホーゲルデータを圧縮するための方法であって、
前記方法は、圧縮された高解像度光照射野ホーゲルデータを、有線又は無線伝送系によって、制限された帯域幅内で伝送するためのものであり、
前記方法は：
複数の圧縮方法を確立するステップであって、各前記圧縮方法は、各前記圧縮方法が提供することになる光照射野再構成品質の指標である、光照射野ホーゲルデータ依存性メトリックを有する、ステップ；
各前記方法に関して、圧縮される前記高精細光照射野ホーゲルデータに関する前記光照射野ホーゲルデータ依存性メトリックの値を決定するステップ；
最も好ましい光照射野再構成品質の指標である前記光照射野ホーゲルデータ依存性メトリックをもたらす前記圧縮方法を選択するステップ；
選択された前記圧縮方法に従って、前記高精細光照射野ホーゲルデータを圧縮するステップ；並びに
圧縮モード及び視差値を、圧縮された前記高精細光照射野ホーゲルデータと共にパックするステップであって、前記圧縮モードは、前記選択された圧縮方法の指標である、ステップ
を含む、方法。
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
ストリーミングメディアを受信するための無線端末において実行される方法であって、端末が、無線ネットワークに接続するためのモデムと、前記無線ネットワークを介してストリーミングデータサーバからストリーミングデータを受信するためのストリーミングデータバッファを含むデータストリーミングクライアントとを含み、前記方法が、
ストリーミングサービスの開始及びデータバッファサイズを示すために、前記モデムによって前記ネットワークにシグナリングすることと、
前記データバッファサイズに応じて適応されたバッファスキームに従って、前記ネットワークを介して前記ストリーミングデータサーバから受信されたストリーミングメディアファイルのメディアデータをバッファリングすることと、
前記ストリーミングサービスの終了を示すために、前記モデムによって前記ネットワークにシグナリングすることと、
を含む方法。
【請求項２】
バッファ充足に適したインスタンスの推奨を含むバッファ充足信号メッセージを前記ネットワークから受信するステップであり、前記バッファスキームが、前記適したインスタンスに応じて決定された受信メディアデータで前記バッファを満たすためのタイミングデータを含む、ステップ
を含む請求項１に記載の方法。
【請求項３】
前記バッファ充足信号メッセージが、前記適したインスタンスでバッファリングするために、適した量の補充データの指示を含み、前記バッファスキームが、前記適した量に基づいて決定されたデータバーストサイズを含む、請求項２に記載の方法。
【請求項４】
前記ストリーミングクライアントから前記モデムへ前記バッファを満たすインスタンスのためのタイミングデータを転送するステップと、
前記タイミングデータを示すために、前記モデムによって前記ネットワークにシグナリングするステップと
を含む請求項１に記載の方法。
【請求項５】
前記バッファスキームが、前記データバッファサイズに対応するデータバーストでストリーミングデータを受信することを含む、請求項１又は４に記載の方法。
【請求項６】
前記ネットワークからモデム制御信号を受信するステップと、
前記モデム制御信号に従ってバッファリングのインスタンス間に前記モデムの電力制御を適用するステップと
を含む請求項１〜５のいずれか一項に記載の方法。
【請求項７】
瞬間的なモデム電力消費に対応する推奨圧縮レベルを決定するステップと、
前記推奨圧縮レベルに基づいて符号化されたストリーミングメディアデータを送信するように前記ネットワークにシグナリングするステップと
を含む請求項１に記載の方法。
【請求項８】
ストリーミングスケジューリングデバイスにおいて実行される方法であって、前記デバイスが、無線ネットワークを介したストリーミングサーバから第１の端末のモデムへのストリーミングメディアデータの転送を制御するために、無線端末と通信するための前記無線ネットワークの基地局に接続され、前記方法が、
前記第１の端末における受信のために前記基地局を介してストリーミングデータを送信することを伴う、前記端末におけるストリーミングサービスの開始を示す信号メッセージを検出するステップであり、前記信号メッセージが、前記端末におけるデータバッファサイズの指示を含む、ステップと、
現在の無線ネットワーク容量を評価するステップと、
前記ネットワーク容量及び前記データバッファサイズに応じてストリーミングバッファ制御データを決定するステップと、
バッファリングを制御するために前記端末において使用するために、前記決定されたストリーミングバッファ制御データを含むバッファ充足信号メッセージを前記第１の端末へ送信するステップと、
ストリーミングサービスの終了を示す信号の受信に応答して、ストリーミングバッファ制御データの決定を終了するステップと
を含む方法。
【請求項９】
前記バッファ充足信号メッセージが、前記バッファリングを制御するために前記端末で使用するために、バッファ充足のための適したインスタンスを含む、請求項８に記載の方法。
【請求項１０】
ストリーミングバッファ制御データが、
すべてのサービスされるデータ端末への瞬間的なトラフィック負荷に対するデータトラフィックを含む、統合されたデータトラフィック負荷、
前記第１の端末の着信及び発信のデータトラフィックタイミング、
前記第１の端末のためのモビリティシグナリング、
前記第１の端末との接続における瞬間的な無線チャネル特性、及び
前記無線ネットワーク内のキャッシュされたマルチメディアデータの利用可能性
のうちの１つ以上に応じて決定される、請求項８又は９に記載の方法。
【請求項１１】
前記ネットワークと前記第１の端末との間の前記接続に関連する無線リンク情報を決定
するステップと、
ネットワーク容量が同等の容量レベルより増加している、すなわち上回っていることを示す前記決定されたリンク情報に応じて前記第２の圧縮レベルを選択するために、第１のより高い圧縮レベル及び第２のより低い圧縮レベルでストリーミングデータを配信できるストリーミングデータ配信ユニットへコーデック選択命令を送信するステップと
を含む請求項８〜１０のいずれか一項に記載の方法。
【請求項１２】
前記制御ユニットが、前記基地局に接続され、前記適した量に対応するバッファサイズを有するローカルバッファに通信可能に接続され、前記ローカルバッファを前記適したインスタンス間の前記ストリーミングサーバからのデータブロックで満たすように構成される、請求項８〜１０のいずれか一項に記載の方法。
【請求項１３】
ストリーミングメディアを再生するための無線端末であって、
無線ネットワークの基地局からメディアデータを受信するように構成されたモデムと、
前記モデムに接続されたストリーミングバッファと、
ストリーミングメディアを再生するために前記ストリーミングバッファからメディアデータを受信するために接続されたメディアプレーヤと、
ストリーミングサービスの開始を示すための前記ネットワークへの信号メッセージを生成し、前記ネットワークからバッファ充足信号メッセージを受信するように構成されたコントローラであって、前記受信されたバッファ充足信号メッセージに基づいて前記バッファの充足を制御するように構成されたコントローラと
を含み、前記コントローラはさらに、前記ストリーミングサービスの終了を示すために、前記モデムによって前記ネットワークにシグナリングするように構成される、無線端末。
【請求項１４】
前記コントローラが、バッファ充足に適したインスタンスの推奨に基づいて決定された時点でバッファ充足を開始するように構成される、請求項１３に記載の無線端末。
【請求項１５】
前記バッファ充足信号メッセージが、前記適したインスタンスでバッファリングするために、適した量の補充データの指示を含み、バッファリングする前記ステップが、前記適した量のデータを適したインスタンスでバッファリングすることを含む、請求項１３に記載の無線端末。
【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
所与のタイプの物理ワイヤレスチャネルについて、複数の可能なサイズから、前記所与のタイプの物理ワイヤレスチャネル上の送信に使用されるべき巡回冗長検査(CRC)フィールドのサイズを決定するステップであって、前記決定が、前記物理ワイヤレスチャネル上の前記送信に使用されるべき前記CRCフィールドの前記サイズの、無線リソース制御(RRC)シグナリングを介して示される指示に基づき、前記決定が、前記送信のトランスポートブロックサイズに基づく、ステップと、
前記決定されたサイズの前記CRCフィールドを用いて、前記物理ワイヤレスチャネル上の前記送信に基づいて通信を実行するステップと
を備える方法。
【請求項２】
前記通信が、デバイスを用いて実行され、前記決定が、前記デバイスのタイプに基づく、請求項1に記載の方法。
【請求項３】
前記決定が、前記送信がブロードキャスト送信を備えるかどうかに基づく、請求項1に記載の方法。
【請求項４】
前記物理ワイヤレスチャネルが、制御チャネルを備える、請求項1に記載の方法。
【請求項５】
前記決定が、前記物理ワイヤレスチャネルを送信するために使用される探索空間に基づく、請求項4に記載の方法。
【請求項６】
前記決定が、前記制御チャネルに関連付けられたCRC長に基づく、請求項4に記載の方法。
【請求項７】
前記決定が、時間依存的パラメータに基づく、請求項1に記載の方法。
【請求項８】
前記時間依存的パラメータが、サブフレームインデックスを備える、請求項7に記載の方法。
【請求項９】
前記決定が、前記通信のトラフィックタイプに基づく、請求項1に記載の方法。
【請求項１０】
前記決定が、前記物理ワイヤレスチャネルのスケジューリング方式に基づく、請求項1に記載の方法。
【請求項１１】
前記物理ワイヤレスチャネルが半静的にスケジュールされ、前記物理ワイヤレスチャネルについて固定CRC長が想定される、請求項10に記載の方法。
【請求項１２】
前記物理ワイヤレスチャネルが、ダウンリンクチャネル、アップリンクチャネル、またはサイドリンクチャネルのうちの少なくとも1つである、請求項1に記載の方法。
【請求項１３】
ワイヤレス通信のための装置であって、
所与のタイプの物理ワイヤレスチャネルについて、複数の可能なサイズから、前記所与のタイプの物理ワイヤレスチャネル上の送信に使用されるべき巡回冗長検査(CRC)フィールドのサイズを決定するための手段であって、前記決定が、前記物理ワイヤレスチャネル上の前記送信に使用されるべき前記CRCフィールドの前記サイズの、無線リソース制御(RRC)シグナリングを介して示される指示に基づき、前記決定が、前記送信のトランスポートブロックサイズに基づく、手段と、
前記決定されたサイズの前記CRCフィールドを用いて、前記物理ワイヤレスチャネル上の前記送信に基づいて通信を実行するための手段と
を備える装置。
【請求項１４】
請求項2〜12のいずれか一項に記載の方法を実行するための処理手段をさらに備える請求項13に記載の装置。
【請求項１５】
コンピューティングデバイスの処理手段によって実行されるときに請求項1〜12のいずれか一項に記載の方法を実行するための命令を含むコンピュータプログラム。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
メッシュネットワークにリソース制限デバイスを接続するためのメッシュネットワークブリッジデバイスであって、前記リソース制限デバイスが、第１チャネル特性を持つ第１通信チャネルにおいて通信し、前記メッシュネットワークが、第２チャネル特性を持つ第２通信チャネルにおいて通信し、前記メッシュネットワークブリッジデバイスが、
前記メッシュネットワークブリッジデバイスが、前記第１チャネル特性を持つ前記第１通信チャネルを通じて前記リソース制限デバイスと通信する動作の第１モードと、
前記メッシュネットワークブリッジデバイスが、前記第２チャネル特性を持つ前記第２通信チャネルを通じて前記メッシュネットワークと通信する動作の第２モードと、
前記メッシュネットワークブリッジデバイスが、単一の通信チャネルを通じて、前記メッシュネットワークと前記リソース制限デバイスとの両方と通信する動作の第３モードとを有するよう適応され、
前記メッシュネットワークブリッジデバイスが、
前記第１通信チャネルの前記第１チャネル特性が前記第２通信チャネルの前記第２チャネル特性と異なるかどうかを決定し、
前記第１チャネル特性が前記第２チャネル特性と異なることに応じて、前記動作の第１モードと前記動作の第２モードとの間で切り替えをし、それによって、前記リソース制限デバイスが前記メッシュネットワークブリッジデバイスを介して前記メッシュネットワークに接続することを可能にし、
前記第１チャネル特性が前記第２チャネル特性と同じであることに応じて、前記動作の第３モードにおいて動作するよう適応されるメッシュネットワークブリッジデバイス。
【請求項２】
前記第１チャネル特性及び前記第２チャネル特性が、各々、
チャネル周波数、
チャネル符号化方式、
チャネル位相、
電磁的な偏り、
電磁軌道角運動量、
電圧、
電流、
OSIスタックモデルの特定のレベルにおける通信プロトコル、
セキュリティのレベル、
暗号鍵、
セキュリティアルゴリズム、及び
セキュリティサービスの使用のうちの同じ少なくとも１つを有する請求項１に記載のメッシュネットワークブリッジデバイス。
【請求項３】
前記メッシュネットワークから第１更新情報を受信し、
前記第１更新情報に基づいて前記第２チャネル特性を調節するよう適応される請求項１又は２に記載のメッシュネットワークブリッジデバイス。
【請求項４】
前記メッシュネットワークとの接続が確立されるまで、前記第２チャネル特性を漸進的に又は戦略的に調節するよう適応される請求項１乃至３のいずれか一項に記載のメッシュネットワークブリッジデバイス。
【請求項５】
前記第２チャネル特性に基づいて第２更新情報を生成し、
前記第２更新情報を前記リソース制限デバイスに送信し、
前記第２更新情報に基づいて前記第１チャネル特性を調節するよう適応される請求項１乃至４のいずれか一項に記載のメッシュネットワークブリッジデバイス。
【請求項６】
前記メッシュネットワークブリッジデバイスが、前記動作の第１モードと前記動作の第２モードとの間で周期的に切り替えをするように適応され、随意に、前記メッシュネットワークブリッジデバイスが、更に、前記リソース制限デバイスの通信特性に基づいて、前記動作の第１モードと前記動作の第２モードとの間の切り替え周期を決定するよう適応される請求項１乃至５のいずれか一項に記載のメッシュネットワークブリッジデバイス。
【請求項７】
請求項１乃至６のいずれか一項に記載のメッシュネットワークブリッジデバイスと、
前記第２通信チャネルを通じて前記メッシュネットワークブリッジデバイスと通信するよう適応される親ノードとを有するメッシュネットワークであって、前記メッシュネットワークブリッジデバイスが、前記親ノードを介してしか前記メッシュネットワークと通信しないよう適応されるメッシュネットワーク。
【請求項８】
前記親ノードが、前記メッシュネットワークブリッジデバイスが前記動作の第１モードにあるときに前記メッシュネットワークブリッジデバイスに送信するためのデータをバッファリングするよう適応される請求項７に記載のメッシュネットワーク。
【請求項９】
前記メッシュネットワークが、ZigBee（RTM）規格に従って動作する無線ネットワークであり、
前記メッシュネットワークブリッジデバイスが、グリーンパワーインフラストラクチャデバイスであり、
前記リソース制限デバイスが、グリーンパワーデバイスであり、
前記親ノードが、ZigBee（RTM）ルータノードである請求項７又は８のいずれかに記載のメッシュネットワーク。
【請求項１０】
メッシュネットワークにリソース制限デバイスを接続する方法であって、前記リソース制限デバイスが、第１チャネル特性を持つ通信チャネルにおいて通信し、前記メッシュネットワークが、第２チャネル特性を持つ通信チャネルにおいて通信し、前記方法が、
動作の第１モードの間、メッシュネットワークブリッジデバイスを用いて、前記第１チャネル特性を持つ第１通信チャネルを通じて前記リソース制限デバイスと通信するステップと、
動作の第２モードの間、前記メッシュネットワークブリッジデバイスを用いて、前記第２チャネル特性を持つ第２通信チャネルを通じて前記メッシュネットワークと通信するステップと、
動作の第３モードの間、前記メッシュネットワークブリッジデバイスを用いて、単一の通信チャネルを通じて、前記メッシュネットワークと前記リソース制限デバイスとの両方と通信するステップと、
前記第１通信チャネルの前記第１チャネル特性が前記第２通信チャネルの前記第２チャネル特性と異なるかどうかを決定するステップと、
前記第１チャネル特性が前記第２チャネル特性と異なることに応じて、前記動作の第１モードと前記動作の第２モードとの間で切り替えをするステップと、
前記第１チャネル特性が前記第２チャネル特性と同じであることに応じて、前記動作の第３モードにおいて動作するステップとを有する方法。
【請求項１１】
前記メッシュネットワークブリッジデバイスにおいて、前記メッシュネットワークから第１更新情報を受信するステップと、
前記第１更新情報に基づいて前記第２チャネル特性を調節するステップとを更に有する請求項１０に記載の方法。
【請求項１２】
前記メッシュネットワークとの接続が確立されるまで、前記第２チャネル特性を漸進的に又は戦略的に調節するステップを更に有する請求項１０又は１１のいずれかに記載の方法。
【請求項１３】
前記メッシュネットワークブリッジデバイスを用いて、前記第２チャネル特性に基づいて第２更新情報を生成するステップと、
前記メッシュネットワークブリッジデバイスを用いて、前記第２更新情報を前記リソース制限デバイスに送信するステップと、
前記第２更新情報に基づいて前記第１チャネル特性を調節するステップとを更に有する請求項１０乃至１２のいずれか一項に記載の方法。
【請求項１４】
コンピュータプログラムであって、前記コンピュータプログラムがプロセッサを有するコンピューティングデバイスにおいて実行されるときに、請求項１０乃至１３のいずれか一項に記載の方法の全てのステップを実施するよう適応されるコンピュータプログラムコード手段を有するコンピュータプログラム。
【手続補正書】
【提出日】令和1年7月10日(2019.7.10)
【手続補正１】
【補正対象書類名】明細書
【補正対象項目名】００５９
【補正方法】変更
【補正の内容】
【００５９】
【表１】
2018538653.tif 000001
【手続補正２】
【補正対象書類名】明細書
【補正対象項目名】００７３
【補正方法】変更
【補正の内容】
【００７３】
４．  １０００ｇ（１．９１０モル）のＮａ３．４Ｓｃ０．４Ｚｒ１．６（ＳｉＯ４）２（ＰＯ４）粉末の製造
７５０．８ｇのＺｒＯ（ＮＯ３）２、３３４．０ｇのＮａＮＯ３および３９．５１ｇのＳｃ２Ｏ３を６リットルの脱イオン水に撹拌下で溶解させた。すべての塩を溶解した後、１０１０ｇのオルトケイ酸テトラプロピルを添加し、引き続き撹拌した。オルトケイ酸テトラプロピルの加水分解を促進するために、６５０ｍｌのＨＮＯ３（６５重量％）を系に添加した。オルトケイ酸テトラプロピルを完全に加水分解した後、２５２．２ｇの（ＮＨ３）２ＨＰＯ４を、同様に、撹拌下で添加した。リン酸塩の添加により、これまでの均質な水性系が混合物に変化し、酸化ジルコニウム−リン酸塩錯体化合物のコロイド状沈殿物が形成された。
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
電磁スペクトルの領域における、イメージング技術によって画像および／またはデータとして収集されるイメージング技術のために対象のスペクトルのシグネチャを提供するように構成された人工物理タグで少なくとも１つのターゲットにタグ付し、対象のシグネチャをイメージング技術に提供することは、自動化または半自動化されたプロセスによって認識されるスペクトルのシグネチャを提供することを含む方法であって、
前記人工物理タグを前記ターゲットに関連付けるステップを含み、前記人工物理タグとして使用可能にする既定のスペクトル特性を有するコーティング、塗料または任意の材料が前記ターゲットに塗布され、前記人工物理タグは前記材料または前記塗料そのものであること、を特徴とする、前記方法。
【請求項２】
前記人工物理タグによって提供された前記シグネチャは、前記ターゲットを一意に識別する、請求項１に記載の方法。
【請求項３】
前記人工物理タグを前記ターゲットに関連付けるステップは、
前記ターゲットに含まれる物質によって提供される元のシグネチャを修正するステップ  を含む、請求項１又は２のいずれかに記載の方法。
【請求項４】
前記シグネチャは、
温度、
スペクトル特性、
放射率、
表面粗さ、
誘電率、
偏光、
位相データ、
特定の再放射されたエネルギー、
これらの少なくとも２つの組み合わせ
の前記人工物理タグの特性のうちの少なくとも１つを使用する、請求項１〜請求項３のいずれかに記載の方法。
【請求項５】
電磁スペクトルの領域におけるイメージング技術によって、画像および／またはデータとして収集するように対象のシグネチャを提供するように構成された人工物理タグで少なくとも１つのターゲットにタグ付けする、請求項１〜請求項４のいずれかに記載の方法を、コンピュータシステムに実行させるためのプログラム命令を含むコンピュータプログラム。
【請求項６】
記憶媒体上に実装される、請求項５に記載のコンピュータプログラム。
【請求項７】
電磁スペクトルの領域における、イメージング技術によって画像および／またはデータとして収集されるイメージング技術のために対象のシグネチャを提供するように構成された人工物理タグで少なくとも１つのターゲットにタグ付けするシステムであって、対象のシグネチャをイメージング技術に提供することは、自動化または半自動化されたプロセスによって認識されるスペクトルのシグネチャを提供することを含み、前記システムは、
・前記人工物理タグを前記ターゲットに関連付けるように構成され、前記人工物理タグとして使用可能にする既定のスペクトル特性を有するコーティング、塗料または任意の材料が前記ターゲットに塗布され、前記人工物理タグは前記材料または前記塗料そのものであること、を特徴とする、前記システム。
【請求項８】
前記人工物理タグを前記ターゲットに関連付けることによって、前記電磁スペクトルの領域において、イメージング技術によって画像および／またはデータとして収集されるイメージング技術のために対象のシグネチャを提供するように構成された人工物理タグにタグ付けされた、少なくとも１つのターゲットに関連する収集画像および／またはデータからデータを取得する方法であって、対象のシグネチャをイメージング技術に提供することは、自動化または半自動化されたプロセスによって認識されるスペクトルのシグネチャを提供することを含み、前記人工物理タグとして使用可能にする既定のスペクトル特性を有するコーティング、塗料または任意の材料が前記ターゲットに塗布され、前記人工物理タグは前記材料または前記塗料そのものであり、前記方法は、
前記人工物理タグに対応する仮想タグまたは前記タグの一部を生成するステップと、
前記ターゲットに関連する前記収集画像および／またはデータを処理するステップを含み、前記処理するステップは
前記収集画像および／またはデータ内の前記生成された仮想タグまたは前記タグの一部を検出するステップと、
前記生成された仮想タグの検出に基づいてメタデータを取得するステップ、を含む、前記方法。
【請求項９】
前記生成された仮想タグを、
前記人工物理タグまたは前記タグの一部、
前記人工物理タグによって提供された前記シグネチャ、
それらの組み合わせ
のうちの少なくとも１つに関連付けるステップ
をさらに含む、請求項５に記載の方法。
【請求項１０】
前記取得されたメタデータを、
前記人工物理タグまたは前記タグの一部、
前記人工物理タグによって提供されたシグネチャ、
前記仮想タグ、
それらの組み合わせ
のうちの少なくとも１つに関連付けるステップ
をさらに含む、請求項８に記載の方法。
【請求項１１】
前記取得されたメタデータは、
前記ターゲットの地理的な位置、
前記画像および／またはデータが収集された時間、
ターゲット記述子
のデータのうちの少なくとも１つを含む、請求項１０に記載の方法。
【請求項１２】
少なくとも１つのターゲットに関連する収集画像および／またはデータからデータを取得する、請求項８〜請求項１１のいずれかに記載の方法をコンピュータシステムに実行させるプログラム命令を含む、コンピュータプログラム。
【請求項１３】
記憶媒体上に実装される、請求項１２に記載のコンピュータプログラム。
【請求項１４】
前記人工物理タグを前記ターゲットに関連付けることによって、前記電磁スペクトルの領域において、イメージング技術によって画像および／またはデータとして収集されるイメージング技術のために対象のシグネチャを提供するように構成された人工物理タグにタグ付けされた、少なくとも１つのターゲットに関連する画像および／またはデータからデータを取得するシステムであって、対象のシグネチャをイメージング技術に提供することは、自動化または半自動化されたプロセスによって認識されるスペクトルのシグネチャを提供することを含み、前記人工物理タグとして使用可能にする既定のスペクトル特性を有するコーティング、塗料または任意の材料が前記ターゲットに塗布され、前記人工物理タグは前記材料または前記塗料そのものであり、前記システムは、
前記人工物理タグに対応する仮想タグまたは前記タグの一部を生成し、
前記ターゲットに関連する前記収集画像および／またはデータを処理し、
前記収集画像および／またはデータ内の前記生成された仮想タグまたは前記タグの一部を検出し、
前記生成された仮想タグの検出に基づいてメタデータを取得するように構成された、前記システム。
【請求項１５】
前記システムは、
宇宙または航空宇宙装置、
衛星または衛星の集合、
ドローンまたはドローン群、
飛行機または飛行機群、
少なくとも１つの地上カメラ、
複数のデータまたはデータベース
から選択される、請求項１４に記載のシステム。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
緊急警報を送るためのシステムであって、
ａ）少なくとも１つのプロセッサ、メモリ、少なくとも１つのセンサー、ネットワーク要素、およびユーザーインターフェースを含む、ウェアラブルデバイスであって、
ｉ）少なくとも１つのセンサーからデータを感知し；
ｉｉ）ユーザーインターフェースから少なくとも１つの緊急指示を受信し；および
ｉｉｉ）緊急管理システムとの間接通信リンクを確立する
ように構成され、
１）通信リンクが、緊急警報を緊急管理システムへの送達のために通信デバイスに送信し、緊急警報が、少なくとも１つの緊急指示、少なくとも１つのセンサーからのデータ、およびウェアラブルデバイスまたは通信デバイスからの位置情報を含み、警報が通信デバイスに関する情報を含み、前記情報が、位置、通信デバイスのユーザーの同一性、および通信デバイスのユーザーとウェアラブルデバイスのユーザーとの間の関連性から成る群から選択され；および
２）通信リンクが、緊急中に状況認識を提供するべく、緊急管理システムへの送達のために更新されたデータを少なくとも１つのセンサーから通信デバイスに送信する、ウェアラブルデバイス；および
ｂ）サーバーであって、
ｉ）通信デバイスから緊急警報を受信するように構成され、ここで、前記警報がウェアラブルデバイスから生じ、少なくとも１つの緊急指示、少なくとも１つのセンサーからのデータ、およびウェアラブルデバイスまたは通信デバイスからの位置情報を含み；および
ｉｉ）ウェアラブルデバイスの少なくとも１つのセンサーから生じる通信デバイスから更新されたデータを受信するように構成される、サーバー
を含む、システム。
【請求項２】
緊急管理システムが、位置情報を含む更新されたデータに対する間接通信リンクを通じてウェアラブルデバイスにデータ要求を送信する、請求項１に記載のシステム。
【請求項３】
少なくとも１つのセンサーが、ウェアラブルデバイスに位置していない少なくとも１つの外部センサーを含む、請求項１に記載のシステム。
【請求項４】
ウェアラブルデバイスが、緊急警報を送信するために通信デバイスの優先されたリストを維持し、少なくとも１つの通信デバイスが、優先レベルに基づいて優先されたリストから選択される、請求項１に記載のシステム。
【請求項５】
緊急管理システムが、適切な緊急出動センターに緊急支援のための要求を送信する、請求項１に記載のシステム。
【請求項６】
緊急支援のための要求の送信が、適切な緊急出動センターとの音声又は非音声のデータセッションのうち１つを開始する、請求項５に記載のシステム。
【請求項７】
緊急管理システムが、緊急指示の検出後にウェアラブルデバイスのユーザーに警告を提供し、ユーザーは、適切な緊急出動センターに緊急支援のための要求を送信すべきかどうかを決定する、請求項１に記載のシステム。
【請求項８】
緊急管理システムが、少なくとも１つのセンサーからのデータを、緊急支援のための要求を割り当てられる緊急対応人員と共有する、請求項１に記載のシステム。
【請求項９】
緊急警報が少なくとも１つのマルチメディアメッセージを含み、少なくとも１つのマルチメディアメッセージが複数のデータ型を含み、緊急管理システムが、緊急出動センターに少なくとも１つのマルチメディアメッセージを送達する前に、少なくとも１つのマルチメディアメッセージを共通フォーマットに変換する、請求項１に記載のシステム。
【請求項１０】
ウェアラブルデバイスが、少なくとも１つのセンサーからのデータが緊急事態を示すときに自律的にユーザー入力なしで警報を送信し、ここでセンサー読み取り値は、センサー読み取り値がアラーム閾値の範囲外であるときに緊急事態を示し、前記アラーム閾値が値の範囲によって定義されている、請求項１に記載のシステム。
【請求項１１】
位置情報が、ＧＰＳ、セル方式のトライアンギュレーション、Ｗｉ−Ｆｉに基づくロケーショニング、又は屋内の測位システムの少なくとも１つを使用して判定される、ウェアラブルデバイスまたは少なくとも１つの通信デバイスに関する現在位置を含む、請求項１に記載のシステム。
【請求項１２】
少なくとも１つの通信デバイスが、携帯電話、コンピューター、ルーター、サーバー、ゲームコンソール、Ｂｌｕｅｔｏｏｔｈ（登録商標）デバイス、赤外線デバイス、またはモデムである、請求項１に記載のシステム。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
接着剤組成物であって、
３０総重量パーセント以上で存在する直鎖トリブロックコポリマーであって、該コポリマーが、高ガラス転移温度サブユニットＹ及びサブユニットＹ'を含み、サブユニットＹ及びサブユニットＹ’が各々７０℃〜１３０℃の高ガラス転移温度を有し、前記高ガラス転移温度アクリレートサブユニットの中間に−１００℃〜１０℃の低ガラス転移温度を有する低ガラス転移温度サブユニットＺを含んで、構造Ｙ−Ｚ−Ｙ’を定める、直鎖トリブロックコポリマーと、
前記直鎖トリブロックコポリマーがモノマー及び架橋剤に溶解されるフリーラジカル条件下で硬化性のモノマーと、
過酸化物又はヒドロペルオキシド、及びペルエステルのフリーラジカル開始剤の少なくとも１つのブレンドと、
ピリジンと共に酸塩化物又は二酸性塩化物と、
抗酸化阻害剤（複数の場合がある）と、
を含む、接着剤組成物。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
ＦＰＲ２／ＡＬＸアゴニストを含む、心臓疾患を治療するための医薬。
【請求項２】
心臓疾患が、狭心症、不安定狭心症、心筋梗塞、心不全、急性冠状動脈疾患、急性心不全、慢性心不全、および心原性損傷からなる群より選択されるところの、請求項１に記載の医薬。
【請求項３】
治療が心筋梗塞後であるところの、請求項１または２に記載の医薬。
【請求項４】
治療が慢性心不全と関連付けられるところの、請求項１〜３のいずれか１項に記載の医薬。
【請求項５】
治療が心筋創傷治癒を改善するものであるところの、請求項１〜４のいずれか１項に記載の医薬。
【請求項６】
治療が心筋線維症を軽減させるものであるところの、請求項１〜５のいずれか１項に記載の医薬。
【請求項７】
アゴニストが１−（４−クロロフェニル）−３−（５−イソプロピル−１−メチル−３−オキソ−２−フェニル−２,３−ジヒドロ−１Ｈ−ピラゾール−４−イル）尿素またはその医薬的に許容される塩であるところの、請求項１〜６のいずれか１項に記載の医薬。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
所与の数の送信チャンネルを具備した送信ビーム形成器を持ち、プローブを有する、剪断波分析を実施する超音波システムであって、前記超音波システムは、
前記プローブ内に位置した、複数の変換器要素を持つ超音波変換器アレイを備え、
前記超音波システムは、前記送信ビーム形成器の前記送信チャンネルが前記変換器要素に結合されたとき、同時に複数のプッシュパルスを送信する、超音波システムにおいて、
前記変換器要素の数は前記送信チャンネルの前記所与の数を上回り、
前記超音波システムは、前記送信ビーム形成器の前記送信チャンネルと前記超音波変換器アレイの前記変換器要素との間に結合されるスイッチマルチプレクサーであって、前記所与の数の前記送信チャンネルの各々を、プッシュパルスの複数の送信開口の前記変換器要素に選択的に結合するスイッチマルチプレクサーをさらに備え、
前記超音波システムは、前記送信ビーム形成器の前記送信チャンネルが前記複数の送信開口の前記変換器要素に結合されたとき、同時に複数のプッシュパルスを送信することを特徴とする、
超音波システム。
【請求項２】
各前記送信チャンネルは、送信信号源と増幅器とをさらに備える、請求項１に記載の超音波システム。
【請求項３】
前記送信信号源は、パルス発生器又はデジタル形式で送信波形を記憶するデジタルメモリの一方を備える、請求項２に記載の超音波システム。
【請求項４】
前記スイッチマルチプレクサーは、複数の単極単投スイッチを備える、請求項１に記載の超音波システム。
【請求項５】
前記超音波システムは、前記複数の単極単投スイッチのうちの１つ又は複数の閉鎖により、各前記送信チャンネルを前記少なくとも１つの変換器要素に選択的に接続する、請求項４に記載の超音波システム。
【請求項６】
前記送信開口のうちの１つの送信開口の寸法は、所与の数の前記変換器要素と同等である、請求項１に記載の超音波システム。
【請求項７】
前記送信ビーム形成器のチャンネルの数は１２８であり、前記送信開口のうちの１つの送信開口の寸法は、１２８個の変換器要素と同等である、請求項１に記載の超音波システム。
【請求項８】
前記送信ビーム形成器の前記送信チャンネルを前記スイッチマルチプレクサーに結合する信号ラインを持つプローブケーブルをさらに備える、請求項１に記載の超音波システム。
【請求項９】
前記プローブは、プローブハンドルと遠位端とをさらに備え、
前記スイッチマルチプレクサーが、前記プローブハンドル内に位置し、前記超音波変換器アレイが、前記遠位端内に位置する、
請求項８に記載の超音波システム。
【請求項１０】
前記プローブは、プローブハンドルと遠位端とをさらに備え、
前記スイッチマルチプレクサーと前記超音波変換器アレイとが、前記遠位端内に位置する、
請求項８に記載の超音波システム。
【請求項１１】
プローブ接続体と、前記超音波変換器アレイに前記プローブ接続体を結合する信号ラインを持つプローブケーブルとをさらに備え、
前記スイッチマルチプレクサーが、前記プローブ接続体内に位置する、
請求項１に記載の超音波システム。
【請求項１２】
剪断波を測定するために、各々が信号源を持つ所与の数の送信チャンネルと、前記所与の数より大きな数の変換器要素を持つ超音波アレイ変換器と、前記変換器要素に前記送信チャンネルを結合するスイッチのスイッチマルチプレクサーとを持つ超音波システムの作動の方法であって、前記方法は、
１つを上回るプッシュパルス送信開口の前記変換器要素に前記送信チャンネルを結合するために、前記スイッチマルチプレクサーの前記スイッチを閉じるステップであって、複数の独立した送信チャンネルの各々が、複数の前記プッシュパルス送信開口の前記変換器要素に結合される、閉じるステップと、
前記超音波アレイ変換器から複数のプッシュパルスを同時に送信するように、前記送信チャンネルの前記信号源を作動させるステップとを備える、
方法。
【請求項１３】
前記作動させるステップは、前記超音波アレイ変換器から並列に複数の同一の前記プッシュパルスを同時に送信するように、前記送信チャンネルの前記信号源を作動させるステップを備える、請求項１２に記載の方法。
【請求項１４】
複数の前記プッシュパルス送信開口の２つの開口の前記変換器要素の数は、前記送信チャンネルの前記所与の数より大きい、請求項１２に記載の方法。
【請求項１５】
閉じた前記スイッチにより、複数の前記プッシュパルス送信開口のうちの異なるプッシュパルス送信開口の前記変換器要素に前記送信チャンネルを結合するように変えて、前記閉じるステップと前記作動させるステップとを繰り返すステップをさらに備える、請求項１２に記載の方法。
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
被験者内のがん領域を同定するシステムであって、
第１の期間中に、被験者の領域から第１の時系列データセットを、第２の期間中に、第２の時系列データセットを取得する超音波撮像デバイスであって、前記第１の期間は最初の生体組織検査時であり、前記第２の期間はフォローアップ診断セッション時である、超音波撮像デバイスと、
前記第１の時系列データセット及び前記第２の時系列データセットを受信し、１つ以上の特徴における前記第１の時系列データセットと前記第２の時系列データセットとの差分データを計算する比較デバイスであって、前記差分データは、前記最初の生体組織検査時と前記フォローアップ診断セッション時との間の組織特性の変化を直接的に示す、比較デバイスと、
前記差分データを受信し、前記差分データを、複数の参照被験者内の同じ領域から得られる前記１つ以上の特徴に関する参照差分データで訓練されている分類器に入力する処理デバイスであって、前記参照差分データは更に、組織の組織病理学に基づく、組織型ががん性であるか又は良性であるかの同定データを含む、処理デバイスと、
前記分類器からの出力に基づいて、前記領域ががん性であるかどうかを決定する決定デバイスと、
を含む、システム。
【請求項２】
前記超音波撮像デバイスは、無線周波数超音波撮像デバイスを含む、請求項１に記載のシステム。
【請求項３】
前記超音波撮像デバイスは、固定位置において、前記第１の時系列データセット及び前記第２の時系列データセットを取得する、請求項１に記載のシステム。
【請求項４】
前記超音波撮像デバイスは、数秒から数分の走査中に、前記第１の時系列データセット及び前記第２の時系列データセットを取得する、請求項１に記載のシステム。
【請求項５】
前記第１の時系列データセット及び前記第２の時系列データセットを受信し、記憶するストレージデバイスを更に含む、請求項１に記載のシステム。
【請求項６】
前記比較デバイスが計算する前記差分データは、１つ以上の特徴における前記第１の時系列データセット及び前記第２の時系列データセットの無線周波数（ＲＦ）信号間の差分を含む、請求項２に記載のシステム。
【請求項７】
前記１つ以上の特徴は、スペクトル特徴又はウェーブレット特徴を含む、請求項１に記載のシステム。
【請求項８】
前記１つ以上の特徴は、前記参照差分データから抽出される、請求項７に記載のシステム。
【請求項９】
前記決定デバイスは、前記被験者が、再生体組織検査又は積極的監視を必要とするかどうかに関する決定を生じさせる、請求項１に記載のシステム。
【請求項１０】
被験者内のがん領域を同定するシステムであって、前記システムは、
第１の期間中に、被験者の領域から第１の時系列データセットを、第２の期間中に、第２の時系列データセットを取得する撮像デバイスと、
ワークステーションと、
を含み、
前記ワークステーションは、
１つ以上のプロセッサと、
メモリと、
インターフェースと、
第１のセッションである最初の期間に取得される第１の時系列データセット及び前記最初の期間よりも後の第２のセッションであるフォローアップ期間に取得される第２の時系列データセットを受信し、
１つ以上の特徴における前記第１の時系列データセットと前記第２の時系列データセットとの間の差分データを計算し、前記差分データは、組織特性の変化を直接的に示す
比較モジュールと、
前記差分データを受信し、前記差分データを、複数の参照被験者内の同じ領域から得られる前記１つ以上の特徴に関する参照差分データで訓練されている分類器に入力する処理モジュールであって、前記参照差分データは更に、組織の組織病理学に基づく、組織型ががん性であるか又は良性であるかの同定データを含む、処理モジュールと、
前記分類器からの出力に基づいて、前記領域ががん性であるかどうかを決定する決定モジュールと、
を含む、システム。
【請求項１１】
前記撮像デバイスは、無線周波数超音波撮像デバイスを含む、請求項１０に記載のシステム。
【請求項１２】
前記撮像デバイスは、固定位置において、前記第１の時系列データセット及び前記第２の時系列データセットを取得する、請求項１０に記載のシステム。
【請求項１３】
前記比較モジュールが計算する前記差分データは、１つ以上の特徴における前記第１の時系列データセット及び前記第２の時系列データセットの無線周波数（ＲＦ）信号間の差分を含む、請求項１１に記載のシステム。
【請求項１４】
前記１つ以上の特徴は、前記参照差分データから抽出されるスペクトル特徴又はウェーブレット特徴を含む、請求項１１に記載のシステム。
【請求項１５】
被験者の領域の特性を同定する方法であって、
第１の撮像セッション時の第１の期間中に、超音波撮像デバイスから、被験者の領域からの第１の時系列データセットを取得するステップと、
前記第１の撮像セッション時よりも後のフォローアップの第２の撮像セッション時の第２の期間中に、前記超音波撮像デバイスから第２の時系列データセットを取得するステップと、
１つ以上の特徴における前記第１の時系列データセットと前記第２の時系列データセットとの間の差分データを計算するステップであって、前記差分データは、前記第１の撮像セッション時と前記フォローアップの第２の撮像セッション時との間の組織特性の変化を直接的に示す、計算するステップと、
前記差分データを、複数の参照被験者内の同じ領域から得られる前記１つ以上の特徴に関する参照差分データで訓練されている分類器に入力するステップであって、前記参照差分データは更に、組織の組織病理学に基づく、組織型ががん性であるか又は良性であるかの同定データを含む、入力するステップと、
前記分類器からの出力に基づいて、前記領域ががん性であるかどうかを決定するステップと、
を含む、方法。
【請求項１６】
前記第１の時系列データセット及び前記第２の時系列データセットは、無線周波数超音波撮像データを含む、請求項１５に記載の方法。
【請求項１７】
前記無線周波数超音波撮像データは、固定位置において取得される、請求項１６に記載の方法。
【請求項１８】
前記分類器からの前記出力に基づいて、がんの等級付けを決定する更なるステップを含む、請求項１５に記載の方法。
【請求項１９】
前記被験者の再生体組織検査又は積極的監視が行われるべきかどうかを決定する更なるステップを含む、請求項１５に記載の方法。
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
患者の振戦を治療するシステムであって、
少なくとも２つの電極、レセプタクル、及び当該少なくとも２つの電極及び当該レセプタクルの両方と電気的に連絡している第１の電気回路、を有するバンドと、
ウェアラブルハウジングを備えた、取り外し可能な治療装置と、
を備え、
前記ウェアラブルハウジングは、
第２の電気回路と、
前記第２の電気回路と電気的に連絡している１つ以上のセンサであって、患者からのデータを測定するように構成された１つ以上のセンサと、
電気刺激を生成するように構成され、前記第２の電気回路と電気的に連絡している刺激装置と、
前記刺激装置から電気刺激を受けるように構成された少なくとも２つの電極と、
前記刺激装置による電気刺激の生成を制御するように構成されたコントローラと、
前記第２の電気回路と電気的に連絡している電源と、
を備え、
前記治療装置のウェアラブルハウジングは、前記バンドの前記少なくとも２つの電極が前記刺激装置と電気的に連絡するように、直接的且つ可逆的に前記バンドのレセプタクルに取り付けられるように構成され、
前記バンド及び前記取り外し可能な治療装置は、ウド時計の携帯を構成している、システム。
【請求項２】
前記バンドが、刺激パラメータおよび／または使用寿命情報と関連付けられる、１つ以上の識別子をさらに含み、
前記レセプタクルが、前記取り外し可能な治療装置を前記レセプタクルに可逆的に取り付けるための固定機構を含み、
前記取り外し可能な治療装置がユーザインタフェースをさらに含み、
前記コントローラが、前記１つ以上のセンサによって測定されたデータに基づいて前記刺激装置による電気刺激の生成を制御するように構成され、
前記レセプタクルの開口部周囲に可撓性リップをさらに備え、当該リップが、前記レセプタクルに挿入された後に前記治療装置を保持するように構成されている、請求項１に記載のシステム。
【請求項３】
前記バンドが１つ以上の識別子をさらに含む、請求項１に記載のシステム。
【請求項４】
前記１つ以上の識別子が、刺激パラメータおよび／または使用寿命情報と関連付けられる、請求項２に記載のシステム。
【請求項５】
前記電源を充電するように構成された基地局をさらに含む、請求項１に記載のシステム。
【請求項６】
前記基地局が、前記取り外し可能な治療装置との間で、およびクラウドコンピューティングネットワークとの間でデータを送受信するようにさらに構成される、請求項４に記載のシステム。
【請求項７】
前記クラウドコンピューティングネットワークに記憶されたデータにアクセスするように構成されたポータルサイトをさらに含む、請求項５に記載のシステム。
【請求項８】
情報およびパラメータの変更を前記取り外し可能な治療装置に返送するように構成されたポータルサイトをさらに含む、請求項１から５のいずれかに記載のシステム。
【請求項９】
第２のユーザインタフェースおよびディスプレイを含む携帯型コンピューティング装置をさらに含み、前記携帯型コンピューティング装置が、前記取り外し可能な治療装置と無線通信し、データを前記クラウドコンピューティングネットワークから受信するように構成される。請求項５または６に記載のシステム。
【請求項１０】
前記レセプタクルが、前記取り外し可能な治療装置を前記レセプタクルに可逆的に取り付けるための固定機構を含む、請求項１に記載のシステム。
【請求項１１】
前記固定機構が、クリップ、磁石、スナップフィット機構、ツイストフィット機構、ねじ機構、ラッチ機構、摺動機構、可撓性リップおよびフックからなる群から選択される、請求項９に記載のシステム。
【請求項１２】
前記取り外し可能な治療装置がユーザインタフェースをさらに含む、請求項から１１のいずれかに記載のシステム。
【請求項１３】
前記コントローラが、前記１つ以上のセンサによって測定されたデータに基づいて前記刺激装置による電気刺激の生成を制御するように構成される、請求項１から１２のいずれかに記載のシステム。
【請求項１４】
前記レセプタクルの開口部周囲に可撓性リップをさらに備え、当該リップが、前記レセプタクルに挿入された後に前記治療装置を保持するように構成されている、請求項１から１３のいずれかに記載のシステム。
【請求項１５】
ユーザに装着されたとき、前記少なくとも２つの電極が前記ユーザの皮膚に接触し、タッチセンサアレイが、前記治療装置の反対側の外部に位置する、請求項１から１４のいずれかに記載のシステム。